(57)【特許請求の範囲】
【請求項１】
容器本体の口部に取り付けられる注出ノズル付きキャップであって、前記注出ノズル付きキャップは中栓とカバーキャップとを有し、
前記中栓は中栓本体とノズルとからなり、
前記カバーキャップは栓体と前記中栓本体に係合離脱可能な天板とを備え、
前記中栓本体は前記中栓本体に対して固定した位置上に設けられた回転中心周りに回転可能な搖動アームを有しかつ前記回転中心周りの軌跡に沿って形成された摺動案内面を有する摺動案内筒を固定して有し、
前記ノズルは外面に前記軌跡に沿って形成された摺動面を有して前記摺動面で前記摺動案
内筒の前記摺動案内面に摺動可能に係合して
前記中栓本体に進出後退可能に係合していて前記中栓本体を介して前記容器本体の内部に連通しており、かつ前記ノズルと前記摺動案内筒との間において前記ノズルの前記摺動変位が可能な範囲を限定するストッパを有しており、
前記カバーキャップの前記天板と前記栓体は前記搖動アームに固定されており前記栓体は前記搖動アームの前記回転により前記ノズルに係合離脱可能であり前記天板は前記搖動アームの前記回転により前記中栓本体に前記係合離脱可能で前記中栓が前記容器本体に取り付けられた状態における前記中栓との間に前記ノズルの少なくとも一部分を覆いうる
ことを特徴とする注出ノズル付キャップ。
【請求項２】
前記カバーキャップの上端面は前記カバーキヤップが前記容器本体に係合した状態において前記容器本体を倒立状態としても自立させることができる前記容器本体の中心線に垂直をなす平面を有することを特徴とする請求項１記載の注出ノズル付キャップ。
【発明の詳細な説明】
【０００１】
【産業上の利用分野】
この発明はソースやケチャップ或いは油等の液状内容物を収納した容器本体の口部に取り付けられる注出ノズル付きキャップに関するものである。
【０００２】
【従来の技術】
ソース等の液体内容物を収納する容器においては、従来は、図２に示すように、容器本体２のノズル部３はキャップ１０１によって閉じられている。キャップ１０１は中栓１０５及びカバーキャップ１０６からなっていて、中栓１０５は容器本体２のノズル部３に固定して内容物の注出時における容器本体２を傾けたときの液体内容物４の注出案内路を構成しており、カバーキャップ１０６は液体内容物４を注出しない閉栓時の中栓１０５を覆って閉じる作用をしている。しかるにカバーキャップ１０６が中栓１０５を覆って閉じている状態においても、容器本体２内の液体内容物４が振動などでカバーキャップ１０６の内側部分に付着し、カバーキャップ１０６を開いたときに図３の符号４ａで示すように、液だれしたりすることがある。これを防ぐために、容器本体から先細状のノズルを突出させて形成し、液体内容物をノズルを通して注出させることも考えられている。このノズルを使用したものは、比較的良好に使用時液だれを防止させることができる。
【０００３】
【解決すべき課題】
しかしながら、この場合はノズルが容器本体から固定的に突出して形成されているので、使用前の容器の製造、流通の段階では、ノズルの突出が邪魔になって容器の自立安定性、積載性、格納・収納性などで劣ったものになる場合がある。
【０００４】
この発明は上記の如き事情に鑑みてなされたものであって、注出ノズルを有して液だれを確実に防ぐことができるとともに、注出ノズルが邪魔にならず、容器の自立安定性、積載性、格納・収納性に優れた注出ノズル付きキャップを提供することを目的とするものである。
【０００５】
【構成】
この目的に対応して、この発明の注出ノズル付きキャップは、容器本体の口部に取り付けられる注出ノズル付きキャップであって、前記注出ノズル付きキャップは中栓とカバーキャップとを有し、
前記中栓は中栓本体とノズルとからなり、
前記カバーキャップは栓体と前記中栓本体に係合離脱可能な天板とを備え、
前記中栓本体は前記中栓本体に対して固定した位置上に設けられた回転中心周りに回転可能な搖動アームを有しかつ前記回転中心周りの軌跡に沿って形成された摺動案内面を有する摺動案内筒を固定して有し、
前記ノズルは外面に前記軌跡に沿って形成された摺動面を有して前記摺動面で前記摺動案内筒の前記摺動案内面に摺動可能に係合して
前記中栓本体に進出後退可能に係合していて前記中栓本体を介して前記容器本体の内部に連通しており、かつ前記ノズルと前記摺動案内筒との間において前記ノズルの前記摺動変位が可能な範囲を限定するストッパを有しており、
前記カバーキャップの前記天板と前記栓体は前記搖動アームに固定されており前記栓体は前記搖動アームの前記回転により前記ノズルに係合離脱可能であり前記天板は前記搖動アームの前記回転により前記中栓本体に前記係合離脱可能で前記中栓が前記容器本体に取り付けられた状態における前記中栓との間に前記ノズルの少なくとも一部分を覆いうる
ことを特徴としている。
【０００６】
【実施例】
以下この発明の詳細を一実施例を示す図面について説明する。
図１において、１ｃは注出ノズル付きキャップである。注出ノズル付きキャップ１ｃは容器本体２のノズル部３に取り付けられている。容器本体２内には液体内容物４が収容されている。
【０００７】
この注出ノズル付きキャップ１ｃは中栓５ｃとカバーキャップ６ｃとからなり、中栓５ｃは中栓本体７ｃとノズル１５ｃとからなっている。
【０００８】
カバーキャップ６ｃは天板２４ｃと栓体３５とを備え、天板２４ｃと栓体３５とは揺動アーム３６の先端３８に固定して取り付けられている。揺動アーム３６は中栓本体７ｃに固定した位置に設けられた回転中心３７に関して回転可能である。したがって、天板２４ｃと栓体３５も回転中心３７に関して先端３８の軌跡４１上を変位可能である。
【０００９】
中栓本体７ｃには軌跡４１に沿って内面が摺動案内面４２になっている摺動案内筒４３が取り付けられており、この摺動案内面４２にノズル１５ｃが摺動可能に嵌合している。ノズル１５ｃの外面には摺動面が軌跡４１に沿って形成されていて、したがってノズル１５ｃは摺動案内面４２に摺動可能に支持されて軌跡４１に沿って進退可能である。ノズル１５ｃの先後端にはストッパ４４，４５が突出形成されていて、これらが摺動案内筒４３に当接することによって、進出限界及び後退限界が位置決めされる。このように栓体３５とノズル１５ｃは軌跡４１ｃ上に配置されていて、栓体３５とノズル１５ｃは軌跡４１ｃ上を移動可能である。但しノズル１５ｃの移動可能範囲はストッパ４４、４５によって制約されて進出限界、後退限界が設定される。このノズル１５ｃの移動可能範囲は栓体３５の移動可能範囲よりも小さい。この実施例ではストッパ４４、４５は例えば突起状に形成されていて材料のプラスチックの弾性変形により摺動案内筒４３内を押し通って摺動案内筒４３の端部の外に出すことにより組立て時にノズル１５ｃを摺動案内筒４３にストッパ機能をもたせて組立てることができる。
【００１０】
栓体３５は軌跡４１上にあってカバーキャップ６ｃに取り付けられており、カバーキャップ６ｃと一緒に軌跡４１上を移動してノズル１５ｃの先端部４６に嵌入してノズル１５ｃを閉じ、または先端部４６から離脱して先端部４６を開放する。そのように構成された注出ノズル付きキャップ１ｃの作用は次の通りである。
【００１１】
液体内容物４を注出しない閉栓時においては、容器本体２にカバーキャップ６ｃが係合し容器本体２のノズル部３を覆っている。この状態ではノズル１５ｃの先端部４６に栓体３５が嵌入してノズル１５ｃの先端部４６が閉じられていて、カバーキャップ６ｃに押し下げられて最下端の後退位置にある。
【００１２】
次に、注出時にはカバーキャップ６ｃをはずすためにカバーキャップ６ｃを摘み上げると、ノズル１５ｃは先端部４６に嵌合している栓体３５との摩擦力によってカバーキャップ６ｃに引かれて進出限界まで進出して停止する。カバーキャップ６ｃはそのまま揺動アーム３６の反時計回りの回転にしたがって、容器本体２の側面に退避する。ノズル１５ｃは進出位置まで進出したので、液体内容物４の注出が可能となる。
【００１３】
注出が終了して閉栓しようとする時には、揺動アーム３６とカバーキャップ６ｃを一体として回転中心３７の回りに時計回りに回転させて行くと、栓体３５が、ノズル１５ｃの先端部４６に嵌入して先端部４６を閉じ、引き続いてノズル１５ｃを後退限界まで押し込んで行く。最後にカバーキャップ６ｃを容器本体２の上端部に係合させて閉栓動作が完了する。
【００１４】
【発明の効果】
この発明の注出ノズル付きキャップでは、ノズル吐出口周辺の内容物による汚れが軽減できる。また使用後ノズルが縮みキャップ内に格納されるので、容器のハイトダウンが可能である。次に、細いノズル構造により流路が安定し、内容物が周囲に飛散しない。また閉栓時、キャップ先端が広く単純形状となるため、倒立使用が可能である。また、この発明の注出ノズル付きキャップではノズルが容器内側の後退位置に押し込まれることになるので、使用前の容器の製造、流通の段階でノズルの突出が邪魔にならない位置に後退させて積載性、自立安定性を実現することができ、容器の自立安定性、積荷性、収納性の面で優れている。しかもカバーキャップとノズルがノズルの揺動可能な範囲内で連結して運動しているので、カバーキャップの開閉とノズルの伸縮がワンアクションで可能である。
【００１５】
以上の説明から明らかな通り、この発明によれば、ノズルを有して、液だれを確実に防ぐことができるとともに、注出ノズルが邪魔にならず、容器の自立安定性、積載性、格納・収納性に優れた注出ノズル付きキャップを得ることができる。
【００１６】
【図面の簡単な説明】
【図１】  注出ノズル付きキャップ１ｃの縦断面説明図。
【図２】  従来のキャップを示す縦断面説明図。
【図３】  従来のキャップの注出時の状態を示す縦断面説明図。
【符号の説明】
１ｃ            注出ノズル付きキャップ
２              容器本体
３              ノズル部
４              液体内容物
５ｃ            中栓
６ｃ            カバーキャップ
７ｃ            中栓本体
８ｃ            注出ノズル体
１５ｃ          ノズル
２４ｃ          天板
３５            栓体
３６            揺動アーム
３７            回転中心
３８            先端
４１            軌跡
４２            摺動案内面
４３            摺動案内筒
４４            ストッパ
４５            ストッパ
４６            先端部
１０１          キャップ
１０５          中栓
１０６          カバーキャップ
【図１】
0005170606.tif 000002
【図２】
0005170606.tif 000003
【図３】
0005170606.tif 000004